【手続補正書】
【提出日】平成16年10月26日(2004.10.26)
【手続補正１】
【補正対象書類名】明細書
【補正対象項目名】請求項１
【補正方法】変更
【補正の内容】
【請求項１】
設置のための現場調査を必要とするリース対象物件の選択入力用とリース条件の確認用のリース対象物件選択画面を、インターネットに接続したＷｅｂサーバ上のＷＷＷページによりインターネット端末に表示させる商品提示選択過程と、
この商品提示選択過程に引き続いてＷｅｂサーバ上のＷＷＷページによりリース希望者の意志確認を促すリース受付画面を当該インターネット端末に表示させる意志確認過程と、
上記リース受付画面からリース希望の入力があると、Ｗｅｂサーバ上のＷＷＷページにより、上記リース対象物件を設置する場所を含む概算見積のための情報をリース希望者に入力させる概算見積の申し込み受け付け画面を当該インターネット端末で表示させる概算見積申し込み受付過程と、
該概算見積申し込み受付過程で入力された概算見積のための情報に基づいて概算見積を計算してその結果を示す画面と、リース希望者に詳細見積の要否を入力させる画面とをＷｅｂサーバ上のＷＷＷページにより夫々当該インターネット端末に表示させる概算見積結果提示過程と、
該概算見積結果提示過程で詳細見積の要を示す入力があると、リース希望者を特定する顧客情報及び上記リース対象物件を設置する場所を含む設置現場関連情報、設置希望のリース対象物件の商品情報を詳細見積のための情報として少なくともリース希望者に入力させる詳細見積申し込み画面をＷｅｂサーバ上のＷＷＷページにより当該インターネット端末に表示させる詳細見積申し込み受付過程と、
該詳細見積申し込み受付過程で詳細見積のための情報が入力されると、リース希望者に設置工事のための現場調査の希望日時を入力させる画面をＷｅｂサーバ上のＷＷＷページにより当該インターネット端末に表示させる現場調査日時選択過程と、
上記現場調査結果に基づいて当該リース対象物件の設置完了までの一切の諸費用を含むリース料の詳細見積を計算し、その詳細見積結果を示す画面と、リース希望者にリース契約申し込みを促すリース契約申し込み画面とをＷｅｂサーバ上のＷＷＷページにより、閲覧許可を受けたリース希望者のインターネット端末に表示させるリース契約申し込み過程と、を備えることを特徴とするリース業務支援方法。
【手続補正２】
【補正対象書類名】明細書
【補正対象項目名】請求項６
【補正方法】変更
【補正の内容】
【請求項６】
上記現場調査時に、調査収集した詳細見積に必要な現場情報を携帯情報入力手段により調査現場で入力させる過程を備えていることを特徴とする請求項１乃至５の何れか記載のリース業務支援方法。
【手続補正３】
【補正対象書類名】明細書
【補正対象項目名】請求項１０
【補正方法】変更
【補正の内容】
【請求項１０】
インターネットと接続するための通信機能と、Ｗｅｂサーバ機能と、見積計算を行うための演算処理機能とを備え、 Ｗｅｂサーバ機能は、付設される商品情報データベースに格納されている商品情報に基づいてリース対象物件の商品情報を提示するとともに、インターネット上のリース希望者側のインターネット端末に、リース対象物件を選択入力させるための画面を表示させるＷＷＷページ、該ＷＷＷページの画面からリース対象物件の選択情報が入力された場合に、リース希望を受付けるリース受付画面を当該インターネット端末に表示させるＷＷＷページ、上記リース受付画面からリース希望の入力があると、インターネット端末によってリース希望者が、リース対象物件を設置する場所を含む概算見積のための情報を入力する概算見積申し込み用の画面を当該インターネット端末で表示させるＷＷＷページ、該概算見積申し込み用の画面からリース希望者のインターネット端末により入力された情報及び付設されるリース料試算データベースに格納された情報に基づいて上記演算処理機能が求めた概算見積の結果を示す画面を当該インターネット端末に表示させるＷＷＷページ、リース希望者の詳細見積の要否を入力させる画面をリース希望者のインターネット端末に表示させる概算見積結果提示用のＷＷＷページ、該概算見積結果提示用の画面からリース希望者のインターネット端末により詳細見積の要を示す入力があると、当該リース希望者を特定する顧客情報及びリース対象物件を設置する場所を含む設置現場関連情報、設置希望のリース対象物件の商品情報を詳細見積のための情報として少なくとも入力させる詳細見積申し込み画面を当該インターネット端末に表示させるＷＷＷページ、該詳細見積申し込み画面から詳細見積の情報が入力されると、付設されたスケジュールデータベースに格納されている現場調査を行う業者のスケジュールデータを提示するとともに、リース希望者に設置工事のための現場調査の希望日時を入力させる画面を当該インターネット端末に表示させるＷＷＷページ、上記現場調査結果に基づく詳細見積のための情報を入力する画面を現場調査を行った上記業者側のインターネット端末に表示させるＷＷＷページ、該ＷＷＷページを通じて入力された情報と上記リース料試算データベースの情報に基づいて上記演算処理機能により求められたリース対象物件の設置完了までの一切の諸費用を含むリース料の詳細見積の結果を示す画面を閲覧が許可されたリース希望者のインターネット端末に表示させるＷＷＷページ、リース希望者にリース契約申し込みを促すリース契約申し込み画面をリース希望者のインターネット端末に表示させるＷＷＷページから少なくともＷｅｂサーバを構築することを特徴とするリース業務支援サーバ。
【手続補正４】
【補正対象書類名】明細書
【補正対象項目名】０００８
【補正方法】変更
【補正の内容】
【０００８】 
【課題を解決するための手段】
上記目的を達成するために、請求項１の発明のリース業務支援方法では、設置のための現場調査を必要とするリース対象物件の選択入力用とリース条件の確認用のリース対象物件選択画面を、インターネットに接続したＷｅｂサーバ上のＷＷＷページによりインターネット端末に表示させる商品提示選択過程と、この商品提示選択過程に引き続いてＷｅｂサーバ上のＷＷＷページによりリース希望者の意志確認を促すリース受付画面を当該インターネット端末に表示させる意志確認過程と、上記リース受付画面からリース希望の入力があると、Ｗｅｂサーバ上のＷＷＷページにより、上記リース対象物件を設置する場所を含む概算見積のための情報をリース希望者に入力させる概算見積の申し込み受け付け画面を当該インターネット端末で表示させる概算見積申し込み受付過程と、該概算見積申し込み受付過程で入力された概算見積のための情報に基づいて概算見積を計算してその結果を示す画面と、リース希望者に詳細見積の要否を入力させる画面とをＷｅｂサーバ上のＷＷＷページにより夫々当該インターネット端末に表示させる概算見積結果提示過程と、該概算見積結果提示過程で詳細見積の要を示す入力があると、リース希望者を特定する顧客情報及び上記リース対象物件を設置する場所を含む設置現場関連情報、設置希望のリース対象物件の商品情報を詳細見積のための情報として少なくともリース希望者に入力させる詳細見積申し込み画面をＷｅｂサーバ上のＷＷＷページにより当該インターネット端末に表示させる詳細見積申し込み受付過程と、該詳細見積申し込み受付過程で詳細見積のための情報が入力されると、リース希望者に設置工事のための現場調査の希望日時を入力させる画面をＷｅｂサーバ上のＷＷＷページにより当該インターネット端末に表示させる現場調査日時選択過程と、上記現場調査結果に基づいて当該リース対象物件の設置完了までの一切の諸費用を含むリース料の詳細見積を計算し、その詳細見積結果を示す画面と、リース希望者にリース契約申し込みを促すリース契約申し込み画面とをＷｅｂサーバ上のＷＷＷページにより、閲覧許可を受けたリース希望者のインターネット端末に表示させるリース契約申し込み過程と、を備えることを特徴とする。
【手続補正５】
【補正対象書類名】明細書
【補正対象項目名】００１３
【補正方法】変更
【補正の内容】
【００１３】
請求項６のリース業務支援方法の発明では、請求項１乃至５の何れかのリース業務支援方法において、上記現場調査時に、調査収集した詳細見積に必要な現場情報を携帯情報入力手段により調査現場で入力させる過程を備えていることを特徴とする。
【手続補正６】
【補正対象書類名】明細書
【補正対象項目名】００１７
【補正方法】変更
【補正の内容】
【００１７】
請求項１０のリース業務支援サーバの発明では、インターネットと接続するための通信機能と、Ｗｅｂサーバ機能と、見積計算を行うための演算処理機能とを備え、Ｗｅｂサーバ機能は、付設される商品情報データベースに格納されている商品情報に基づいてリース対象物件の商品情報を提示するとともに、インターネット上のリース希望者側のインターネット端末に、リース対象物件を選択入力させるための画面を表示させるＷＷＷページ、該ＷＷＷページの画面からリース対象物件の選択情報が入力された場合に、リース希望を受付けるリース受付画面を当該インターネット端末に表示させるＷＷＷページ、上記リース受付画面からリース希望の入力があると、インターネット端末によってリース希望者が、リース対象物件を設置する場所を含む概算見積のための情報を入力する概算見積申し込み用の画面を当該インターネット端末で表示させるＷＷＷページ、該概算見積申し込み用の画面からリース希望者のインターネット端末により入力された情報及び付設されるリース料試算データベースに格納された情報に基づいて上記演算処理機能が求めた概算見積の結果を示す画面を当該インターネット端末に表示させるＷＷＷページ、リース希望者の詳細見積の要否を入力させる画面をリース希望者のインターネット端末に表示させる概算見積結果提示用のＷＷＷページ、該概算見積結果提示用の画面からリース希望者のインターネット端末により詳細見積の要を示す入力があると、当該リース希望者を特定する顧客情報及びリース対象物件を設置する場所を含む設置現場関連情報、設置希望のリース対象物件の商品情報を詳細見積のための情報として少なくとも入力させる詳細見積申し込み画面を当該インターネット端末に表示させるＷＷＷページ、該詳細見積申し込み画面から詳細見積の情報が入力されると、付設されたスケジュールデータベースに格納されている現場調査を行う業者のスケジュールデータを提示するとともに、リース希望者に設置工事のための現場調査の希望日時を入力させる画面を当該インターネット端末に表示させるＷＷＷページ、上記現場調査結果に基づく詳細見積のための情報を入力する画面を現場調査を行った上記業者側のインターネット端末に表示させるＷＷＷページ、該ＷＷＷページを通じて入力された情報と上記リース料試算データベースの情報に基づいて上記演算処理機能により求められたリース対象物件の設置完了までの一切の諸費用を含むリース料の詳細見積の結果を示す画面を閲覧が許可されたリース希望者のインターネット端末に表示させるＷＷＷページ、リース希望者にリース契約申し込みを促すリース契約申し込み画面をリース希望者のインターネット端末に表示させるＷＷＷページから少なくともＷｅｂサーバを構築することを特徴とする。
【手続補正７】
【補正対象書類名】明細書
【補正対象項目名】００３５
【補正方法】変更
【補正の内容】
【００３５】
これら入力欄１０〜１４への入力が終了すると、顧客は操作釦Ａ１をクリックすることで、Ｗｅｂサーバ機能を介してリース業務支援サーバ１に「概算見積」を申し込めるのである。つまりこの過程が概算見積申し込み受付過程となる。
【手続補正８】
【補正対象書類名】明細書
【補正対象項目名】００４０
【補正方法】変更
【補正の内容】
【００４０】
尚図４の操作釦Ａ５は前の画面（４）に戻ることを指示する操作釦である。
【手続補正９】
【補正対象書類名】明細書
【補正対象項目名】００４２
【補正方法】変更
【補正の内容】
【００４２】
このリース料詳細見積依頼画面（６）は図５に示す構成となっており、この画面（５）上では顧客を特定できる詳細な顧客情報、物件設置場所等の入力を要求する画面となっている。
【手続補正１０】
【補正対象書類名】明細書
【補正対象項目名】００４５
【補正方法】変更
【補正の内容】
【００４５】
またリース対象のフリーアクセスフロア設備の商品名の入力欄３５、施工面積の入力欄３６、リース期間の入力欄３７を設けてある。入力欄３５，３７の右横の選択釦Ｓ７、Ｓ８は図３の選択釦Ｓ１，Ｓ２と同様に商品名、リース期間を選択入力するためのものである。
【手続補正１１】
【補正対象書類名】明細書
【補正対象項目名】００４７
【補正方法】変更
【補正の内容】
【００４７】
この画面（６）での「詳細見積」に必要な情報の入力が終了すると、顧客は操作釦Ａ６をクリックすることで、「詳細見積」の入力情報をリース業務支援サーバ１へそのＷｅｂサーバ機能を通じて転送させることができ、また同時に「詳細見積」に必要とする現場調査の日時（スケジュール）選択のための画面表示を要求することができる。
【手続補正１２】
【補正対象書類名】明細書
【補正対象項目名】００４９
【補正方法】変更
【補正の内容】
【００４９】
さて上記の操作釦Ａ６のクリックがあると、リース業務支援サーバ１は、「詳細見積」のための入力情報を取り込むとともに、当該顧客が指定している設置場所に対応した施工業者の現場調査・施工のスケジュール情報をスケジュールデータベースＤＢ２から読み出し、その情報に基づいてスケジュール記入のためＷＷＷページを当該顧客のインターネット端末６へ送出し、インターネット端末６のモニタ上に図６に示す現場調査（現調）日時選択画面（７）を表示させる。
【手続補正１３】
【補正対象書類名】明細書
【補正対象項目名】００５２
【補正方法】変更
【補正の内容】
【００５２】
ところでリース業務支援サーバ１では、「詳細見積」のための顧客情報が転送されてくると、当該顧客とのリース契約の可否を審査するために、審査データベースＤＢ５に格納している信用情報と顧客情報とを照合して当該顧客の信用度を審査し、その信用度が審査データベースＤＢ５に格納している審査基準を満足する場合には「良」と判断して上述の現場調査日時選択画面（７）のＷＷＷページをＷｅｂサーバ機能により送出し、現場調査の希望日時の情報が転送されると、後日顧客が詳細見積結果を閲覧することを許可するための認証用コードである仮ＩＤ及び見積番号を表示する画面のＷＷＷページに切り替える。この仮ＩＤ及び見積番号は電子メールによっても顧客側に知らせる。
【手続補正１４】
【補正対象書類名】明細書
【補正対象項目名】００５４
【補正方法】変更
【補正の内容】
【００５４】
さて上記の現場調査の希望日時の情報が転送されてくるとリース業務支援サーバ１は、「現場調査」及び「詳細見積」の申し込みを行った顧客情報から、設置現場に近い最適な施工業者（或いは代理店若しくは製造メーカの営業所）に電子メール等によって知らせる。これを受け取った施工業者（或いは代理店）若しくは営業所から知らせを受けた施工業者（或いは代理店）では、現場調査の担当者を顧客の希望日時に所定の設置場所へ派遣し現場調査を行わせる。
【手続補正１５】
【補正対象書類名】明細書
【補正対象項目名】００５５
【補正方法】変更
【補正の内容】
【００５５】
この現場調査により得た設置場所の形状、或いは搬入経路等の情報を担当者は一旦代理店に持ち帰り、詳細見積のための纏め作業を行う。この詳細見積の纏め作業過程において、施工業者は製造メーカに対して価格交渉等を行う。
【手続補正１６】
【補正対象書類名】明細書
【補正対象項目名】００５６
【補正方法】変更
【補正の内容】
【００５６】
さて最終的に纏め作業が終わると、施工業者では、インターネット端末４のモニタ上のＷｅｂブラウザによる閲覧画面からリース業務支援サーバ１のＷｅｂサーバ機能が構築するＷｅｂサイトの上記ホームページをアクセスし、このホームページからリース業務支援サーバ１のＷｅｂサーバ機能が施工業者向けに構築している詳細見積データ入力画面（８）を呼び出す。この詳細見積データ入力画面（８）は図７に示すようにフリーアクセスフロア設備のフロア材料費の入力欄としてフロア材料費、スロープ材料費、見切り材料費の各入力欄５０，５１，５２を設け、また入力欄５２の下方にはフロア材料費の合計表示部８０を設けてある。
【手続補正１７】
【補正対象書類名】明細書
【補正対象項目名】００６６
【補正方法】変更
【補正の内容】
【００６６】
そして入力が終了すると、画面（８）に表示している登録の操作釦Ａ１２をクリックすると、入力データがリース業務支援サーバ１へ転送される。リース業務支援サーバ１の演算処理機能はこの転送された内容とリース料試算データベースＤＢ３のリース料演算のための情報に基づいてリース料の詳細見積を計算し、上記代理店で入力された詳細見積の情報及び月額リース料を詳細見積結果として提示したＷＷＷページをＷｅｂサーバ機能により上記見積番号に対応させて作成する。
【手続補正１８】
【補正対象書類名】明細書
【補正対象項目名】００７１
【補正方法】変更
【補正の内容】
【００７１】
そして各見積番号毎に契約のチェック欄Ｂ１…が設けられており、顧客はリース契約したい見積番号に対応したチェック欄Ｂ１…をクリックし、リース契約申し込みの操作釦Ａ１６をクリックすればリース契約申し込みが終了することになる。つまりリース業務支援サーバ１はリース契約申し込みを受け付けると、チェック情報からどの見積番号に対応する件名がリース契約対象であるかを判断し、当該見積番号に対応するフリーアクセスフロア設備のリース契約が発効されたことを進捗管理データベースＤＢ４に登録する。同時にオフライン等により契約（１２）がリース会社と顧客との間で交わされることになる。尚図９中のＡ１７はチェック内容をクリアするための操作釦、Ａ１８は前の画面に戻る操作釦である。
【手続補正１９】
【補正対象書類名】明細書
【補正対象項目名】００７２
【補正方法】変更
【補正の内容】
【００７２】
さて進捗管理データベースＤＢ４に登録された契約進捗状況は施工業者、製造メーカを対象とするＷＷＷページの契約進捗確認画面（１１）で閲覧することができ、この画面（１１）を見ることで施工業者、製造メーカ側で契約の進捗を知ることができ、リース契約に基づいてフリーアクセスフロア設備の施工のための材料手配等を開始することができるのである。
【手続補正２０】
【補正対象書類名】明細書
【補正対象項目名】００７３
【補正方法】変更
【補正の内容】
【００７３】
尚現場調査時に現場情報をＰＤＡ等の携帯情報端末を通じて入力して詳細見積情報として、移動通信網からインターネット５を通じてをリース業務支援サーバ１側へ転送するようにしても良い。
【手続補正２１】
【補正対象書類名】明細書
【補正対象項目名】００７５
【補正方法】変更
【補正の内容】
【００７５】 
【発明の効果】
請求項１の発明のリース業務支援方法は、設置のための現場調査を必要とするリース対象物件の選択入力用とリース条件の確認用のリース対象物件選択画面を、インターネットに接続したＷｅｂサーバ上のＷＷＷページによりインターネット端末に表示させる商品提示選択過程と、この商品提示選択過程に引き続いてＷｅｂサーバ上のＷＷＷページによりリース希望者の意志確認を促すリース受付画面を当該インターネット端末に表示させる意志確認過程と、上記リース受付画面からリース希望の入力があると、Ｗｅｂサーバ上のＷＷＷページにより、上記リース対象物件を設置する場所を含む概算見積のための情報をリース希望者に入力させる概算見積の申し込み受け付け画面を当該インターネット端末で表示させる概算見積申し込み受付過程と、該概算見積申し込み受付過程で入力された概算見積のための情報に基づいて概算見積を計算してその結果を示す画面と、リース希望者に詳細見積の要否を入力させる画面とをＷｅｂサーバ上のＷＷＷページにより夫々当該インターネット端末に表示させる概算見積結果提示過程と、該概算見積結果提示過程で詳細見積の要を示す入力があると、リース希望者を特定する顧客情報及び上記リース対象物件を設置する場所を含む設置現場関連情報、設置希望のリース対象物件の商品情報を詳細見積のための情報として少なくともリース希望者に入力させる詳細見積申し込み画面をＷｅｂサーバ上のＷＷＷページにより当該インターネット端末に表示させる詳細見積申し込み受付過程と、該詳細見積申し込み受付過程で詳細見積のための情報が入力されると、リース希望者に設置工事のための現場調査の希望日時を入力させる画面をＷｅｂサーバ上のＷＷＷページにより当該インターネット端末に表示させる現場調査日時選択過程と、上記現場調査結果に基づいて当該リース対象物件の設置完了までの一切の諸費用を含むリース料の詳細見積を計算し、その詳細見積結果を示す画面と、リース希望者にリース契約申し込みを促すリース契約申し込み画面とをＷｅｂサーバ上のＷＷＷページにより、閲覧許可を受けたリース希望者のインターネット端末に表示させるリース契約申し込み過程と、を備えるので、所望のフリーアクセスフロア設備の商品選択や概算見積の申し込み、詳細見積のための現場調査依頼、更にリース契約に至るまで身近にあるインターネット端末を通じて簡単に手配することができ、顧客、リース会社、施工業者（製造メーカの代理店）の３者の間の複雑な手続過程を無くすことができる。
【手続補正２２】
【補正対象書類名】明細書
【補正対象項目名】００８０
【補正方法】変更
【補正の内容】
【００８０】
請求項６のリース業務支援方法の発明は、請求項１乃至５の何れかのリース業務支援方法において、上記現場調査時に、調査収集した詳細見積に必要な現場情報を携帯情報入力手段により調査現場で入力させる過程を備えているので、詳細見積を出すまでの時間を短縮することができる。
【手続補正２３】
【補正対象書類名】明細書
【補正対象項目名】００８４
【補正方法】変更
【補正の内容】
【００８４】
請求項１０のリース業務支援サーバの発明は、インターネットと接続するための通信機能と、Ｗｅｂサーバ機能と、見積計算を行うための演算処理機能とを備え、Ｗｅｂサーバ機能は、付設される商品情報データベースに格納されている商品情報に基づいてリース対象物件の商品情報を提示するとともに、インターネット上のリース希望者側のインターネット端末に、リース対象物件を選択入力させるための画面を表示させるＷＷＷページ、該ＷＷＷページの画面からリース対象物件の選択情報が入力された場合に、リース希望を受付けるリース受付画面を当該インターネット端末に表示させるＷＷＷページ、上記リース受付画面からリース希望の入力があると、インターネット端末によってリース希望者が、リース対象物件を設置する場所を含む概算見積のための情報を入力する概算見積申し込み用の画面を当該インターネット端末で表示させるＷＷＷページ、該概算見積申し込み用の画面からリース希望者のインターネット端末により入力された情報及び付設されるリース料試算データベースに格納された情報に基づいて上記演算処理機能が求めた概算見積の結果を示す画面を当該インターネット端末に表示させるＷＷＷページ、リース希望者の詳細見積の要否を入力させる画面をリース希望者のインターネット端末に表示させる概算見積結果提示用のＷＷＷページ、該概算見積結果提示用の画面からリース希望者のインターネット端末により詳細見積の要を示す入力があると、当該リース希望者を特定する顧客情報及びリース対象物件を設置する場所を含む設置現場関連情報、設置希望のリース対象物件の商品情報を詳細見積のための情報として少なくとも入力させる詳細見積申し込み画面を当該インターネット端末に表示させるＷＷＷページ、該詳細見積申し込み画面から詳細見積の情報が入力されると、付設されたスケジュールデータベースに格納されている現場調査を行う業者のスケジュールデータを提示するとともに、リース希望者に設置工事のための現場調査の希望日時を入力させる画面を当該インターネット端末に表示させるＷＷＷページ、上記現場調査結果に基づく詳細見積のための情報を入力する画面を現場調査を行った上記業者側のインターネット端末に表示させるＷＷＷページ、該ＷＷＷページを通じて入力された情報と上記リース料試算データベースの情報に基づいて上記演算処理機能により求められたリース対象物件の設置完了までの一切の諸費用を含むリース料の詳細見積の結果を示す画面を閲覧が許可されたリース希望者のインターネット端末に表示させるＷＷＷページ、リース希望者にリース契約申し込みを促すリース契約申し込み画面をリース希望者のインターネット端末に表示させるＷＷＷページから少なくともＷｅｂサーバを構築するので、所望のフリーアクセスフロア設備の商品選択や概算見積の申し込み、詳細見積のための現場調査依頼、更にリース契約に至るまで身近にあるインターネット端末を通じて簡単に手配することができ、顧客、リース会社、施工業者（製造メーカの代理店）の３者の間の複雑な手続過程を無くすことができるシステムを構築することが可能となる。
【手続補正２４】
【補正対象書類名】図面
【補正対象項目名】図２
【補正方法】変更
【補正の内容】
【図２】
2003076767.tif 000001
【手続補正２５】
【補正対象書類名】図面
【補正対象項目名】図５
【補正方法】変更
【補正の内容】
【図５】
2003076767.tif 000002
【手続補正２６】
【補正対象書類名】図面
【補正対象項目名】図７
【補正方法】変更
【補正の内容】
【図７】
2003076767.tif 000003
【手続補正２７】
【補正対象書類名】図面
【補正対象項目名】図９
【補正方法】変更
【補正の内容】
【図９】
2003076767.tif 000004